(57)【要約】  携帯端末（２）と通信可能な電子機器（１）であって、携帯端末（２）のオペレーティングシステムによって携帯端末（２）における表示に用いられる情報であって携帯端末（２）のユーザーによって設定された情報である設定情報を、携帯端末（２）から受信する通信部（１１）と、表示部（１４）と、表示部（１４）の表示内容を、設定情報を用いて決定する制御部（１３）と、を備える。
2019123575.tif 000002
【特許請求の範囲】
【請求項１】
携帯端末と通信可能な電子機器であって、
前記携帯端末のオペレーティングシステムによって前記携帯端末における表示に用いられる情報であって前記携帯端末のユーザーによって設定された情報である設定情報を、前記携帯端末から受信する通信部と、
表示部と、
前記表示部の表示内容を、前記設定情報を用いて決定する制御部と、
を備える電子機器。
【請求項２】
前記設定情報は、表示言語を示す情報を含む請求項１に記載の電子機器。
【請求項３】
前記設定情報は、表示する文字の大きさ、および表示におけるコントラストの度合いを示す情報のうちの少なくとも１つを含む請求項１または２に記載の電子機器。
【請求項４】
前記設定情報は、温度単位を示す情報、および時刻表示形式を示す情報のうち少なくとも１つを含む請求項１から３のいずれか１つに記載の電子機器。
【請求項５】
前記制御部は、複数の前記携帯端末と通信可能な場合、複数の前記携帯端末のそれぞれの間との距離に基づいて、複数の前記携帯端末のなかから１つの前記携帯端末を選択し、選択した前記携帯端末から前記設定情報を取得する請求項１から４のいずれか１つに記載の電子機器。
【請求項６】
空気調和機を制御するリモートコンローラ、または給湯器である請求項１から５のいずれか１つに記載の電子機器。
【請求項７】
宿泊施設の客室に設置される請求項１から６のいずれか１つに記載の電子機器。
【請求項８】
携帯端末と通信可能な電子機器における表示制御方法であって、
前記携帯端末のオペレーティングシステムによって前記携帯端末における表示に用いられる情報であって前記携帯端末のユーザーによって設定された情報である設定情報を、前記携帯端末から受信する第１のステップと、
表示部の表示内容を、前記設定情報を用いて決定する第２のステップと、
を含む表示制御方法。
【発明の詳細な説明】
【技術分野】
【０００１】
本発明は、表示に関する設定を切替え可能な電子機器および表示制御方法に関する。
【背景技術】
【０００２】
ユーザーによる設定に応じて、表示に関する設定を切替え可能な電子機器がある。例えば、パーソナルコンピュータ、テレビなどのなかには、複数の言語による表示が可能であって、複数の言語のうちユーザーによる設定に応じて表示する言語を切替えるものがある。表示に関する設定としては、言語の設定だけでなく、文字の大きさの設定、時刻表示において午前午後表記とするかまたは２４時間表記とするかの設定なども考えられる。【０００３】
特許文献１には、各々が複数の言語による表示が可能な複数のネットワーク機器を備える言語情報処理システムにおいて、ネットワーク機器における表示言語をユーザーの所望の言語とすることが可能な技術が開示されている。特許文献１に記載の言語情報処理システムでは、ネットワーク機器を、スマートフォンにインストールされたアプリケーションによって制御可能であり、このアプリケーションにおいて各ネットワーク機器の情報を表示する際にはアプリケーションにおいて設定されている言語が用いられる。しかしながら、アプリケーションにおいて設定されている言語が各ネットワーク機器において設定されている言語と同じとは限らず、アプリケーションにおいて設定されている言語にあわせて各ネットワーク機器に設定されている言語が変更されてしまうと、各ネットワーク機器の言語が、ユーザーが望まない言語に変更されてしまう可能性がある。特許文献１に記載の言語情報処理システムでは、このような問題を避けるために、アプリケーションによってネットワーク機器の制御のためにスマートフォンに表示される言語としてはアプリケーションにおいて設定されている言語を用い、各ネットワーク機器の表示に用いられる言語は各ネットワーク機器に設定された言語を用いている。
【先行技術文献】
【特許文献】
【０００４】
【特許文献１】特開２０１５−１０３２３７号公報
【発明の概要】
【発明が解決しようとする課題】
【０００５】
特許文献１に記載の方法では、言語情報処理システムにおける各ネットワーク機器における表示言語をユーザーの所望の言語に設定することができる。しかしながら、各ネットワーク機器への言語の設定はセットアップ画面を用いて手動で行われ、また各ネットワーク機器の情報を表示する際に使用される言語もアプリケーションにより受け付けられたユーザーからの操作によって設定される。すなわち、特許文献１に記載の方法では、表示に関する設定の切替えは手動で行われる。【０００６】
複数のユーザーによって使用される電子機器においては、手動で表示する情報を切替える場合、ユーザーは使用の都度、表示を確認して切替えが必要な場合には専用の切替え画面などにより、表示に関する設定を変更する必要がある。このため、ユーザーの手間がかかる。特に、ホテルなどの宿泊施設の各客室に設置される電子機器のように多種多様なユーザーが想定される場合、電子機器に表示されている言語が自分の使用言語でないときには、ユーザーが言語の切替え自体をどのように行うかわからないことも想定される。このような場合、ユーザーは表示に関する設定の切替えに非常に手間取る可能性もある。【０００７】
本発明は、上記に鑑みてなされたものであって、ユーザーの手間を省いて、表示に関する設定を切替え可能な電子機器を得ることを目的とする。
【課題を解決するための手段】
【０００８】
上述した課題を解決し、目的を達成するために、本発明にかかる電子機器は、携帯端末と通信可能な電子機器であって、携帯端末のオペレーティングシステムによって携帯端末における表示に用いられる情報であって携帯端末のユーザーによって設定された情報である設定情報を、携帯端末から受信する通信部、を備える。また、この電子機器は、表示部と、表示部の表示内容を、設定情報を用いて決定する制御部と、を備える。
【発明の効果】
【０００９】
本発明にかかる電子機器は、ユーザーの手間を省いて、表示する情報を切替え可能であるという効果を奏する。
【図面の簡単な説明】
【００１０】
【図１】本発明の実施の形態にかかる電子機器を含む表示処理システムの構成例を示す図
【図２】電子機器の構成例を示す図
【図３】電子機器における携帯端末の検索処理の一例を示すフローチャート
【図４】設定情報要求を受信した携帯端末の動作の一例を示すフローチャート
【図５】携帯端末から設定情報応答を受信した電子機器の動作の一例を示すフローチャート
【図６】電子機器の表示部へ表示される画面の一例を示す図
【図７】電子機器のハードウェア構成例を示す図
【発明を実施するための形態】
【００１１】
以下に、本発明の実施の形態にかかる電子機器および表示制御方法を図面に基づいて詳細に説明する。なお、この実施の形態によりこの発明が限定されるものではない。
【００１２】
実施の形態．
図１は、本発明の実施の形態にかかる電子機器を含む表示処理システムの構成例を示す図である。本実施の形態の表示処理システムは、電子機器１−１，１−２を備える。電子機器１−１，１−２は、携帯端末２−１，２−２とそれぞれ無線通信可能である。携帯端末２−１は、ユーザー３−１により使用される端末であり、携帯端末２−２はユーザー３−２により使用される端末である。以下、電子機器１−１，１−２を個別に区別せずに示すときは電子機器１と記載し、携帯端末２−１，２−２を個別に区別せずに示すときは携帯端末２と記載する。
【００１３】
図１では、表示処理システムを構成する電子機器１を２台図示しているが、表示処理システムを構成する電子機器１の数は１台以上であればよい。また、図１では、電子機器１−１が携帯端末２−１と通信可能な状態を示しているが、電子機器１−１は、携帯端末２−２が移動により電子機器１−１と通信可能な範囲に入れば、携帯端末２−２とも通信可能である。同様に、電子機器１−２は、携帯端末２−１が移動により電子機器１−２と通信可能な範囲に入れば、携帯端末２−１とも通信可能である。また、電子機器１−１，１−２は、図示していない他の携帯端末２が電子機器１−１，１−２のそれぞれと通信可能な範囲に入れば、該携帯端末２と通信可能である。
【００１４】
電子機器１は、複数のユーザーによって使用可能な機器である。電子機器１は、例えば、ホテルなどの宿泊施設の各客室に設置される電子機器、または、会議場、駅、公共施設などに設置される電子機器である。詳細には、電子機器１は、空気調和機のリモートコントローラ、テレビ、給湯器、タブレット、コンピュータなどである。携帯端末２は、スマートフォン、フィーチャーフォン、タブレットなどの携帯可能な端末である。
【００１５】
電子機器１は、表示に関する設定を切替え可能である。表示に関する設定は、例えば、言語の設定、文字の大きさの設定、温度表示における温度単位の設定、および時刻表示において午前午後表記とするかまたは２４時間表記とするかの設定のうちの少なくとも１つを含む。
【００１６】
電子機器１は複数のユーザーによって使用可能であるため、電子機器１のユーザーは頻繁に変更され得る。あるユーザーによって電子機器１に設定された表示に関する設定の内容が、別のユーザーが電子機器１を使用するときに適切であるとは限らない。表示に関する設定が適切でない場合には、ユーザーにとって適切な設定に変更されることが望ましい。
【００１７】
例えば、電子機器１−１は、ホテルのある客室に設置され、電子機器１−２は、該ホテルの別の客室に設置されるとする。ユーザー３−１は、電子機器１−１の設置される客室に宿泊し、ユーザー３−２は、電子機器１−２の設置される客室に宿泊する。ユーザー３−１の使用言語が日本語であり、ユーザー３−２の使用言語が英語である場合、一般には、電子機器１−１に表示される言語は日本語であり、電子機器１−２に表示される言語は英語であることが望ましい。電子機器１−２の設置される客室に、前日に宿泊したユーザーの使用言語が日本語であり、電子機器１−２の表示言語が日本語に設定されていると、ユーザー３−２が宿泊する際には、一般には、電子機器１−２の表示言語が英語に変更されることが望ましい。しかしながら、電子機器１−２の表示言語を手動で変更することはユーザーにとって手間である。
【００１８】
一方、上述の例では、ユーザー３−２の使用言語が英語であるため、携帯端末２−２のオペレーティングシステムにおける表示で用いられる表示言語は、ユーザー３−２によって英語に設定されている可能性が高い。したがって、電子機器１−２が、携帯端末２−２からオペレーティングシステムによる表示で用いられる表示言語の情報を取得すれば、この情報に基づいて、電子機器１−２の表示言語を英語に設定することができる。このように、本実施の形態では、電子機器１が、携帯端末２のオペレーティングシステムによる表示で用いられる設定情報を用いて、表示に関する設定を行うことで、ユーザーの手間をユーザーの手間を省いて、表示に関する設定の切替えを行うことを可能とする。設定情報は、携帯端末２のオペレーティングシステムによって携帯端末２における表示に用いられる情報であって携帯端末２のユーザーによって設定された情報である。オペレーティングシステムによる表示については後述する。
【００１９】
図２は、本実施の形態の電子機器１の構成例を示す図である。図２には、携帯端末２の構成例も示している。図２に示すように、電子機器１は、通信部１１、記憶部１２、制御部１３、表示部１４および入力部１５を備える。電子機器１は、空気調和機のリモートコントローラである場合には空気調和機との通信機能などを備え、テレビの場合には映像および音声を受信する機能などを備えるが、これらの機能は一般的な電子機器における機能と同様であるため、図示および説明を省略する。図２には本発明にかかる構成要素を図示している。
【００２０】
通信部１１は、携帯端末２との間で無線通信を行う。通信部１１と携帯端末２との間の無線通信としては、例えば、Bluetooth（登録商標）、無線ＬＡＮ（Local  Area  Network）などの規格に従った通信を用いることができるが、通信部１１と携帯端末２との間の無線通信はこれらの例に限定されない。
【００２１】
記憶部１２は、後述するように、携帯端末２から取得された設定情報１２１が携帯端末識別子１２２と対応付けられて記憶される。また、記憶部１２には、表示部１４に表示される情報である表示情報１２３が記憶される。表示情報１２３は、例えば、電子機器１が空気調和機のリモートコントローラである場合、表示部１４に表示されるメニューの内容を示す情報である。
【００２２】
制御部１３は、検索処理部１３１、表示制御部１３２を備える。制御部１３の詳細については後述する。表示部１４は、制御部１３からの制御にしたがって表示を行う。入力部１５は、ユーザーからの操作を受け付け、受け付けた操作の内容を情報に変換して制御部１３へ伝達する。なお、表示部１４と入力部１５は一体化されていてもよい。
【００２３】
携帯端末２は、通信部２１、制御部２２、記憶部２３、表示部２４および入力部２５を備える。通信部２１は、電子機器１との間で無線通信を行う。制御部２２は、携帯端末２におけるオペレーティングシステムにより実現される機能であり、携帯端末２の動作を制御する。記憶部２３は、オペレーティングシステムによる表示で用いられる設定に関する情報である設定情報２３１を記憶する。
【００２４】
表示部２４は、制御部２２からの制御にしたがって表示を行う。入力部２５は、ユーザーからの操作を受け付け、受け付けた操作の内容を情報に変換して制御部２２へ伝達する。携帯端末２は、入力部２５を介して、ユーザーからオペレーティングシステムによる表示で用いられる設定を受け付け、受け付けた内容を設定情報２３１として記憶部２３に記憶する。設定情報２３１は、表示言語、文字の大きさといった項目を示す情報と、設定の内容を示す情報とで構成される。例えば、表示言語と文字の大きさの２項目が設定されており、表示言語として英語が設定され、文字の大きさが標準に設定されていたとする。この場合、設定情報２３１には、表示言語を示す情報と英語を示す情報とが対応付られて格納され、文字の大きさと標準を示す情報とが対応付けられて格納される。
【００２５】
オペレーティングシステムによる表示とは、例えば、壁紙と呼ばれる背景の画像と、起動可能なアプリケーションを示す画像とを含む画面の表示、オペレーションシステムにより表示されるメニュー画面の表示などである。オペレーティングシステムによる表示は、アプリケーションを起動することにより実現されるものではない。
【００２６】
オペレーティングシステムによる表示に関する設定は、上述した通り、表示言語の設定、文字の大きさの設定、時刻表示の設定、温度表示における温度単位の設定、時刻表示において午前午後表記とするかまたは２４時間表記とするかの時刻表示形式の設定などである。オペレーティングシステムによる表示に関する設定は、これら以外にも、国籍の設定、画面のコントラストの度合いの設定などを含んでいてもよい。文字の大きさなどはアクセシビリティと呼ばれる設定項目に含まれていることがあり、オペレーティングシステムによる表示に関する設定は、アクセシビリティと呼ばれる設定項目に設定される、上記以外の項目を含んでいてもよい。すなわち、設定情報は、例えば、表示言語を示す情報、表示する文字の大きさ、表示におけるコントラストの度合いを示す情報、温度単位を示す情報、および時刻表示形式を示す情報のうち少なくとも１つを含む。
【００２７】
次に、本実施の形態の動作について説明する。図３は、本実施の形態の電子機器１における携帯端末２の検索処理の一例を示すフローチャートである。図３に示した処理は、電子機器１の起動時に行われ、以降、例えば、一定周期ごとに行われる。また、入力部１５を介して、検索処理がユーザーから指示された場合に、図３に示した処理を実施してもよい。
【００２８】
まず、電子機器１は、通信可能な範囲内の携帯端末２を確認する（ステップＳ１）。具体的には、例えば、検索処理部１３１が、通信部１１を介して、携帯端末２の識別子の送信を要求する信号を報知する。報知信号を受信した携帯端末２は、報知信号への応答に電子機器１へ携帯端末２の識別子を含めて送信する。電子機器１は、報知信号に対する応答を受信したか否かに基づいて、通信可能な範囲内に携帯端末２が存在するか否かを確認することができる。
【００２９】
検索処理部１３１は、通信可能な範囲内に携帯端末２が存在する場合（ステップＳ２  Ｙｅｓ）、通信可能な範囲内に存在する携帯端末２の数が１つであるか否かを判断する（ステップＳ３）。検索処理部１３１は、通信可能な範囲内に携帯端末２が存在しない場合（ステップＳ２  Ｎｏ）、検索処理を終了する。
【００３０】
通信可能な範囲内に存在する携帯端末２の数が１つである場合（ステップＳ３  Ｙｅｓ）、検索処理部１３１は、携帯端末２へ、設定情報の送信を要求することを示す設定情報要求を、通信部１１を介して送信し（ステップＳ４）、検索処理を終了する。設定情報要求には、送信を要求する項目を指定する情報が含まれている。送信を要求する項目は、例えば、表示言語、文字の大きさといった項目である。なお、設定情報要求は、例えば、オペレーティングシステムごとに開示されている、オペレーティングシステムにより表示に用いられる設定情報の取得方法にしたがって生成される。なお、オペレーティングシステムにより設定情報の取得方法が異なる場合には、電子機器１は、携帯端末２からオペレーティングシステムを識別する情報を取得した後に、対応する取得方法にしたがった設定情報要求を生成する。
【００３１】
通信可能な範囲内に存在する携帯端末２の数が１つでない、すなわち、通信可能な範囲内に存在する携帯端末２が複数の場合（ステップＳ３  Ｎｏ）、検索処理部１３１は、通信可能な範囲内に存在する複数の携帯端末２のなかから１つの携帯端末２を選択し（ステップＳ５）、ステップＳ４の処理を実施する。検索処理部１３１は、ステップＳ５において、例えば、通信可能な範囲内に存在する携帯端末２のうち電子機器１の最も近くに存在すると想定される携帯端末２を選択する。電子機器１と携帯端末２との間の距離は、電子機器１が、ＲＳＳＩ（Received  Signal  Strength  Indication）などの携帯端末２から受信する電波の強度に基づいて推定してもよいし、図示しない距離センサを用いて求めてもよい。ステップＳ５を経由したステップＳ４の処理では、ステップＳ５で選択された携帯端末２に設定情報要求が送信される。すなわち、本実施の形態の制御部１３は、複数の携帯端末２と通信可能な場合、複数の携帯端末２のそれぞれの間との距離に基づいて、複数の携帯端末２のなかから１つの携帯端末２を選択し、選択した携帯端末２から設定情報を通信部１１を介して取得する。
【００３２】
次に、設定情報要求を受信した携帯端末２の動作について説明する。図４は、設定情報要求を受信した携帯端末２の動作の一例を示すフローチャートである。図４に示すように、携帯端末２は、設定情報要求を電子機器１から受信する（ステップＳ１１）と、設定情報要求によって指定された項目に対応する設定情報の有無を確認する（ステップＳ１２）。具体的には、制御部２２は、通信部２１を介して、設定情報要求を受信すると、設定情報要求によって指定された項目に対応する設定情報が記憶部２３に格納されているか否かを確認する。
【００３３】
設定情報要求によって指定された項目に対応する設定情報が有る場合（ステップＳ１３  Ｙｅｓ）、携帯端末２は対応する設定情報を格納した設定情報応答を電子機器１へ送信し（ステップＳ１４）、処理を終了する。設定情報応答は、設定情報要求に対する応答であり、携帯端末２の識別子が含まれる。具体的には、制御部２２は、記憶部２３から対応する設定情報を読出し、読み出した設定情報を格納した設定情報応答を生成し、生成した設定情報応答を、通信部２１を介して、電子機器１へ送信する。設定情報要求によって指定された項目に対応する設定情報が無い場合（ステップＳ１３  Ｎｏ）、携帯端末２は処理を終了する。
【００３４】
次に、携帯端末２から設定情報応答を受信した電子機器１の動作について説明する。図５は、携帯端末２から設定情報応答を受信した電子機器１の動作の一例を示すフローチャートである。電子機器１は、携帯端末２から設定情報応答を受信する（ステップＳ２１）と、要求した携帯端末２からの応答であるかを確認する（ステップＳ２２）。具体的には、検索処理部１３１は、通信部１１を介して設定情報応答を受信すると、設定情報応答に含まれる携帯端末２の識別子が、図３のステップＳ４で送信した設定情報要求の宛先の携帯端末２の識別子と一致するか否かを確認する。
【００３５】
正しい応答である場合、すなわち要求した携帯端末２からの応答である場合（ステップＳ２３  Ｙｅｓ）、電子機器１の検索処理部１３１は、受信した設定情報応答に格納された設定情報を抽出し、抽出した設定情報に携帯端末２の識別子を付与して記憶部１２に記憶する（ステップＳ２４）。正しい応答でない場合（ステップＳ２３  Ｎｏ）、電子機器１は処理を終了する。
【００３６】
ステップＳ２４の後、検索処理部１３１は、携帯端末２の識別子または設定情報に変化があったかを確認する（ステップＳ２５）。具体的には、検索処理部１３１は、ステップＳ２４で記憶部１２に設定情報および携帯端末２の識別子を記憶する前に、記憶部１２に記憶されていた設定情報および携帯端末２の識別子を読み出しておき、読み出しておいた設定情報および携帯端末２の識別子と今回受信した設定情報応答に含まれていた設定情報および携帯端末２の識別子とを比較する。例えば、まず、検索処理部１３１は、読み出しておいた携帯端末２の識別子と今回受信した設定情報応答に含まれていた携帯端末２の識別子とが一致するか否かを判断し、一致しない場合、携帯端末２の識別子に変化があったと判断する。なお、検索処理部１３１は、記憶部１２に携帯端末２の識別子が記憶されておらず、記憶部１２に新たに携帯端末２の識別子が格納される場合も携帯端末２の識別子に変化があったと判断する。検索処理部１３１は、読み出しておいた携帯端末２の識別子と今回受信した設定情報応答に含まれていた携帯端末２の識別子とが一致する場合、読み出しておいた設定情報と今回受信した設定情報とが一致するかを判断し、一致しない場合、設定情報に変化があったと判断する。
【００３７】
携帯端末２の識別子または設定情報に変化が無い場合（ステップＳ２６  Ｎｏ）、電子機器１は処理を終了する。携帯端末２の識別子または設定情報に変化が有った場合（ステップＳ２６  Ｙｅｓ）、電子機器１は、記憶部１２に記憶されている設定情報を反映した情報出力形式を定義する（ステップＳ２７）。具体的には、検索処理部１３１は、表示制御部１３２へ情報出力形式の定義を指示し、表示制御部１３２は情報出力形式を定義する。ここで、情報出力形式は、電子機器１の表示部１４に表示するための形式である。情報出力形式には、表示言語、文字の大きさなど、上述した設定情報に対応する項目が含まれる。携帯端末２において表示可能な形式と表示部１４において表示可能な形式が一致するとは限らないため、ステップＳ２７では記憶部１２に記憶されている設定情報を表示部１４で表示可能な形式に変換することにより、情報出力形式を定義する。例えば、携帯端末２では、文字の大きさが第１段階から第５段階までの５段階で設定可能であり、表示部１４の表示では文字の大きさが第１段階から第３段階までの３段階で設定可能であったとする。この場合、例えば、設定情報で文字の大きさが第１段階または第２段階に設定されている場合、情報出力形式では文字の大きさを第１段階とし、設定情報で文字の大きさが第３段階に設定されている場合、情報出力形式では文字の大きさを第２段階とし、設定情報で文字の大きさが第４段階または第５段階に設定されている場合、情報出力形式では文字の大きさを第３段階とする。
【００３８】
表示制御部１３２は、情報出力形式に従った表示を実行し（ステップＳ２８）、処理を終了する。具体的には、ステップＳ２８では、表示制御部１３２は、記憶部１２から表示情報１２３を読出し、表示情報１２３を用いて情報出力形式に従って表示部１４へ表示するための表示データを生成し、表示部１４へ表示データを表示させる。
【００３９】
以上のように、本実施の形態では、電子機器１の通信部１１は、設定情報を、携帯端末から受信し、制御部１３は、表示部１４の表示内容を、設定情報を用いて決定する。
【００４０】
図６は、電子機器１の表示部１４へ表示される画面の一例を示す図である。図６に示した例では、電子機器１が空気調和機のリモートコントローラである例を示している。図６の上段には、携帯端末２のオペレーティングシステムによる表示の設定において、表示言語として日本語が設定され、温度表示の単位として摂氏が設定されている場合の画面の一例を示す。図６の下段には、携帯端末２のオペレーティングシステムによる表示の設定において、表示言語として英語が設定され、温度表示の単位として華氏が設定されている場合の画面の一例を示す。
【００４１】
図６では、電子機器１が空気調和機のリモートコントローラである例を示したが、電子機器１は空気調和機のリモートコントローラに限定されず、表示を行う電子機器であればどのような電子機器であってもよい。また、電子機器が公共の場に設置されたテレビなどである場合、例えば、テレビの字幕の文字を上述した設定情報に応じて表示する。また、例えば、宿泊客へルームサービスなどのサービスを提供するためにホテルの客室に設置されているタブレットなどの端末であってもよい。この場合、タブレットに表示される画面には、上述した設定情報に応じて各種情報が表示される。
【００４２】
なお、携帯端末２の設定情報に国籍の項目が含まれている場合、電子機器１は、国籍に応じて、表示言語、温度表示の単位などを決定するようにしてもよい。例えば、電子機器１は、国籍ごとに対応する表示言語を記憶部１２に格納しておく。そして、携帯端末の設定情報に表示言語が含まれておらず国籍が含まれている場合、記憶部１２に格納された情報を参照して、設定情報に含まれる国籍に対応する表示言語を設定してもよい。同様に、電子機器１は、温度表示の単位に関しても、国籍ごとに対応する温度単位を記憶部１２に格納し、記憶部１２に格納された情報を参照して、設定情報に含まれる国籍に対応する温度単位を設定してもよい。
【００４３】
次に、本実施の形態の電子機器１のハードウェア構成について説明する。図７は、電子機器１のハードウェア構成例を示す図である。電子機器１は、表示部１０１、入力部１０２、プロセッサ１０３、メモリ１０４および通信回路１０５により実現される。図２に示した表示部１４は図７に示した表示部１０１に対応し、図１に示した入力部１５は図７に示した入力部１０２に対応する。図１に示した制御部１３は、図７に示したプロセッサ１０３およびメモリ１０４により実現される。具体的には、制御部１３の機能は、メモリ１０４に格納されたプログラムが読み出されてプロセッサ１０３により実行されることにより実現される。なお、制御部１３の機能は、ＦＧＰＡ（Field  Programmable  Gate  Array）などのように専用のハードウェアにより実現されてもよい。図１に示した記憶部１２は、図７に示したメモリ１０４により実現される。図１に示した通信部１１は、図７に示した通信回路１０５により実現される。
【００４４】
プロセッサ１０３は、例えばＣＰＵ（Central  Processing  Unit），ＭＰＵ（Micro-Processing  Unit）などであり、メモリ１０４は、例えばＲＡＭ（Random  Access  Memory），ＲＯＭ（Read  Only  Memory）などである。表示部１０１は、ディスプレイ、液晶モニタなどである。入力部１０２は、ボタン、スイッチ、キーボード、マウスなどである。表示部１０１と入力部１０２が一体化され、タッチパネルなどにより実現されてもよい。
【００４５】
以上のように、本実施の形態では、電子機器１は、携帯端末２のオペレーティングシステムによる表示で用いられる設定情報を取得して、設定情報を用いて表示を行うようにした。このため、ユーザーの手間を省いて、表示に関する設定を切替え可能である。特に、公共施設等の様々なユーザーが想定される環境、会議室、ホテル等の利用者が頻繁に変わる環境においては、初期画面がユーザーの使用する言語で表示されていない場合には、ユーザーは、表示の設定変更に手間を要する。本実施の形態では、ユーザーの使用する言語と推定される言語に自動で変更されるため、ユーザーの利便性が向上する。
【００４６】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００４７】
１，１−１，１−２  電子機器、２，２−１，２−２  携帯端末、１１，２１  通信部、１２，２３  記憶部、１３，２２  制御部、１４，２４  表示部、１５，２５  入力部、１３１  検索処理部、１３２  表示制御部。
【図１】
2019123575.tif 000003
【図２】
2019123575.tif 000004
【図３】
2019123575.tif 000005
【図４】
2019123575.tif 000006
【図５】
2019123575.tif 000007
【図６】
2019123575.tif 000008
【図７】
2019123575.tif 000009
【手続補正書】
【提出日】令和2年4月15日(2020.4.15)
【手続補正１】
【補正対象書類名】特許請求の範囲
【補正対象項目名】全文
【補正方法】変更
【補正の内容】
【特許請求の範囲】
【請求項１】
携帯端末と通信可能な電子機器であって、
前記携帯端末のオペレーティングシステムによって前記携帯端末における表示に用いられる情報であって前記携帯端末のユーザーによって設定された情報である設定情報を、前記携帯端末から受信する通信部と、
表示部と、
前記ユーザーからの操作を受け付ける入力部と、
前記表示部の表示内容を、前記設定情報を用いて決定する制御部と、
を備える電子機器。
【請求項２】
前記設定情報は、表示言語を示す情報を含む請求項１に記載の電子機器。
【請求項３】
前記設定情報は、表示する文字の大きさ、および表示におけるコントラストの度合いを示す情報のうちの少なくとも１つを含む請求項１または２に記載の電子機器。
【請求項４】
前記設定情報は、温度単位を示す情報、および時刻表示形式を示す情報のうち少なくとも１つを含む請求項１から３のいずれか１つに記載の電子機器。
【請求項５】
前記制御部は、複数の前記携帯端末と通信可能な場合、複数の前記携帯端末のそれぞれの間との距離に基づいて、複数の前記携帯端末のなかから１つの前記携帯端末を選択し、選択した前記携帯端末から前記設定情報を取得する請求項１から４のいずれか１つに記載の電子機器。
【請求項６】
空気調和機を制御するリモートコンローラ、または給湯器である請求項１から５のいずれか１つに記載の電子機器。
【請求項７】
宿泊施設の客室に設置される請求項１から６のいずれか１つに記載の電子機器。
【請求項８】
通信可能な範囲に存在する前記携帯端末を検出すると、前記携帯端末へ前記設定情報の送信を要求することを示す設定情報要求を送信する請求項１から７のいずれか１つに記載の電子機器。
【請求項９】
携帯端末と通信可能な電子機器における表示制御方法であって、
前記携帯端末のオペレーティングシステムによって前記携帯端末における表示に用いられる情報であって前記携帯端末のユーザーによって設定された情報である設定情報を、前記携帯端末から受信する第１のステップと、
表示部の表示内容を、前記設定情報を用いて決定する第２のステップと、
前記ユーザーからの操作を受け付ける第３のステップと、
を含む表示制御方法。
【手続補正２】
【補正対象書類名】明細書
【補正対象項目名】０００８
【補正方法】変更
【補正の内容】
【０００８】
上述した課題を解決し、目的を達成するために、本発明にかかる電子機器は、携帯端末と通信可能な電子機器であって、携帯端末のオペレーティングシステムによって携帯端末における表示に用いられる情報であって携帯端末のユーザーによって設定された情報である設定情報を、携帯端末から受信する通信部、を備える。また、この電子機器は、表示部と、ユーザーからの操作を受け付ける入力部と、表示部の表示内容を、設定情報を用いて決定する制御部と、を備える。
【国際調査報告】
2019123575.tif 000010
2019123575.tif 000011
2019123575.tif 000012
2019123575.tif 000013